(57)【要約】【課題】基板ケースの側壁部が低くても係止爪部を採用し得るようにする。【解決手段】基板ケース２２が、基板２１を挟持可能な受面部３６と係止爪部３７とを備えた基板固定部構造であって、基板ケース２２の側壁部３２に設けられた係止爪部３７が、スリット部４２と、スリット部４２の両端部から側壁部３２の縁部へ向けて延設形成された樹脂ヒンジ部４３と、樹脂ヒンジ部４３およびスリット部４２によって囲まれた部分に設けられて、両側部の樹脂ヒンジ部４３を中心とする回動により屈曲可能な爪部４１とを有し、爪部４１が、基板２１の他面を係止可能な係止面４７と、基板２１を係止面４７へ向けて案内すると共に、両側部の樹脂ヒンジ部４３を中心とする爪部４１の弾性変形を補助可能な斜面部４８とを有するようにしている。【選択図】図６
2008192796.tif 000002
【特許請求の範囲】
【請求項１】
壁部に形成されたスリット部と、該スリット部の両端部から壁部の縁部へ向けて延設形成された樹脂ヒンジ部と、該樹脂ヒンジ部およびスリット部によって囲まれた部分に設けられて、両側部の樹脂ヒンジ部から屈曲可能な爪部とを有し、
該爪部が、スリット部の側に係止面を有すると共に、スリット部とは反対の側に斜面部とを有することを特徴とする係止爪部構造。
【請求項２】
斜面部の幅方向中央部に、爪部の弾性変形を補助可能な切込部を設けたことを特徴とする請求項１記載の係止爪部構造。
【請求項３】
爪部の背面側に、爪部の弾性変形を補助可能な座繰部を形成したことを特徴とする請求項１または２記載の係止爪部構造。
【請求項４】
底壁部と側壁部とを有して内部に基板を収容可能な基板ケースに、基板を固定可能な固定部が設けられ、
該固定部が、基板ケースの内部に設けられて、基板の片面を受ける受面部と、
側壁部に設けられて、受面部との間で基板を挟持可能な係止爪部とを備えた基板固定部構造において、
側壁部に設けられた前記係止爪部が、スリット部と、該スリット部の両端部から側壁部の縁部へ向けて延設形成された樹脂ヒンジ部と、該樹脂ヒンジ部およびスリット部によって囲まれた部分に設けられて、両側部の樹脂ヒンジ部を中心とする回動により屈曲可能な爪部とを有し、
該爪部が、基板の他面を係止可能な係止面と、基板を係止面へ向けて案内すると共に、両側部の樹脂ヒンジ部を中心とする爪部の弾性変形を補助可能な斜面部とを有することを特徴とする基板固定部構造。
【発明の詳細な説明】
【技術分野】
【０００１】
この発明は、係止爪部構造および基板固定部構造に関するものである。
【背景技術】
【０００２】
電子基板などの基板は、通常、保護などの目的のために、基板ケースなどに収容・固定される（例えば、特許文献１参照）。
【０００３】
このような基板ケースは、例えば、底壁部と側壁部とを有して、内部（内側）に基板を収容可能に構成された樹脂製のものであり、この基板ケースには、基板を固定可能な固定部が設けられる。
【０００４】
図７は、上記した固定部１の例を示すものであり、この固定部１として、基板ケース２の内部に、基板５の片面（図中下面）を受ける受面部６が設けられる。なお、基板ケース２は、全体ではなく、固定部１の周辺を部分的に図示している。
【０００５】
また、固定部１として、基板ケース２の側壁部４に、受面部６との間で基板５を挟持可能な係止爪部７（いわゆる弾性樹脂爪）が設けられる。
【０００６】
この係止爪部７は、基板５の他面（図中上面）を係止可能な爪部８と、この爪部８を側壁部４に対して連結・支持する弾性爪支持片９と、側壁部４に対して爪部８および弾性爪支持片９を画成する、上側に開いたほぼＵ字状のスリット部１０とを有している。
【０００７】
このような構成において、基板ケース２の内部に図中上方から基板５を押込むと、基板５の縁部に押された弾性爪支持片９が弾性変形して、爪部８が側壁部４の外面側へと退避され、基板５が爪部８を通過して基板５の縁部による押し力が解除されると、弾性爪支持片９が弾性復帰して、爪部８が元の位置に戻される。その結果、受面部６が基板５の片面を受け、爪部８が基板５の他面を係止して、受面部６と爪部８との間で基板５を挟持した状態となる。これにより、基板ケース２に基板５が収容・固定される。
【０００８】
なお、爪部８は、それ自体が変形されることのないように、或る程度の強度を持つように設定される。
【特許文献１】特開２００５−７９２３６
【発明の開示】
【発明が解決しようとする課題】
【０００９】
しかしながら、上記した係止爪部構造では、軽い力で弾性爪支持片９を（爪部８が充分退避される程度に）弾性変形させられるようにするためには、爪部８を含む弾性爪支持片９の高さ方向の寸法１１を長くする必要があり、そのために、側壁部４が或る程度以上の高さを有していなければならないという問題があった。よって、側壁部４を高くすることができないような場合には、この係止爪部７を採用することができなかった。
【課題を解決するための手段】
【００１０】
上記課題を解決するために、請求項１に記載された発明では、壁部に形成されたスリット部と、該スリット部の両端部から壁部の縁部へ向けて延設形成された樹脂ヒンジ部と、該樹脂ヒンジ部およびスリット部によって囲まれた部分に設けられて、両側部から屈曲可能な爪部とを有し、該爪部が、スリット部の側に係止面を有すると共に、スリット部とは反対の側に斜面部とを有することを特徴としている。
【００１１】
請求項２に記載された発明では、斜面部の幅方向中央部に、爪部の弾性変形を補助可能な切込部を設けたことを特徴としている。
【００１２】
請求項３に記載された発明では、爪部の背面側に、爪部の弾性変形を補助可能な座繰部を形成したことを特徴としている。
【００１３】
請求項４に記載された発明では、底壁部と側壁部とを有して内部に基板を収容可能な基板ケースに、基板を固定可能な固定部が設けられ、該固定部が、基板ケースの内部に設けられて、基板の片面を受ける受面部と、側壁部に設けられて、受面部との間で基板を挟持可能な係止爪部とを備えた基板固定部構造において、側壁部に設けられた前記係止爪部が、スリット部と、該スリット部の両端部から側壁部の縁部へ向けて延設形成された樹脂ヒンジ部と、該樹脂ヒンジ部およびスリット部によって囲まれた部分に設けられて、両側部の樹脂ヒンジ部を中心とする回動により屈曲可能な爪部とを有し、該爪部が、基板の他面を係止可能な係止面と、基板を係止面へ向けて案内すると共に、両側部の樹脂ヒンジ部を中心とする爪部の弾性変形を補助可能な斜面部とを有することを特徴としている。
【発明の効果】
【００１４】
請求項１の発明によれば、壁部に形成されたスリット部と、該スリット部の両端部から壁部の縁部へ向けて延設形成された樹脂ヒンジ部と、該樹脂ヒンジ部およびスリット部によって囲まれた部分に設けられて、両側部の樹脂ヒンジ部を中心とする回動により屈曲可能な爪部とを有し、該爪部が、スリット部の側に係止面を有すると共に、スリット部とは反対の側に両側部の樹脂ヒンジ部を中心とする爪部の弾性変形を補助可能な斜面部とを有することにより、以下のような作用効果を得ることができる。
【００１５】
即ち、壁部に形成されたスリット部と、スリット部の両端部から壁部の縁部へ向けて延設形成された樹脂ヒンジ部とにより、爪部自体が弾性変形されるようになるため、壁部が低くても爪部を設けることが可能となる。また、斜面部が、両側部の樹脂ヒンジ部を中心とする爪部の弾性変形を補助することにより、軽い力で爪部を弾性変形させることが可能となる。
【００１６】
請求項２の発明によれば、斜面部の幅方向中央部に、爪部の弾性変形を補助可能な切込部を設けたことにより、切込部が爪部を弾性変形し易くするので、より軽い力で爪部を変形させることが可能となる。
【００１７】
請求項３の発明によれば、爪部の背面側に、爪部の弾性変形を補助可能な座繰部を形成したことにより、座繰部が爪部を弾性変形し易くするので、より一層軽い力で爪部を変形させることが可能となる。
【００１８】
請求項４の発明によれば、底壁部と側壁部とを有して内部に基板を収容可能な基板ケースに、基板を固定可能な固定部が設けられ、該固定部が、基板ケースの内部に設けられて、基板の片面を受ける受面部と、側壁部に設けられて、受面部との間で基板を挟持可能な係止爪部とを備えた基板固定部構造において、側壁部に設けられた前記係止爪部が、スリット部と、該スリット部の両端部から側壁部の縁部へ向けて延設形成された樹脂ヒンジ部と、該樹脂ヒンジ部およびスリット部によって囲まれた部分に設けられて、両側部の樹脂ヒンジ部を中心とする回動により屈曲可能な爪部とを有し、該爪部が、基板の他面を係止可能な係止面と、基板を係止面へ向けて案内すると共に、両側部の樹脂ヒンジ部を中心とする爪部の弾性変形を補助可能な斜面部とを有することにより、以下のような作用効果を得ることができる。
【００１９】
即ち、スリット部と、該スリット部の両端部から側壁部の縁部へ向けて延設形成された樹脂ヒンジ部とにより、爪部自体が弾性変形されるようになるため、基板ケースの側壁部が低くても係止爪部を採用することが可能となる。また、斜面部が、両側部の樹脂ヒンジ部を中心とする爪部の弾性変形を補助することにより、軽い力で爪部を弾性変形させることが可能となる。
【発明を実施するための最良の形態】
【００２０】
以下、本発明を具体化した実施例について、図示例と共に説明する。
【実施例】
【００２１】
図１〜図６は、この発明の実施例を示すものである。
【００２２】
まず、構成について説明する。
【００２３】
自動車などの車両には、車室内にインストルメントパネルが設けられている。このインストルメントパネルの内部には、ほぼ車幅方向へ延びて左右の車体パネル間を連結する車体強度部材が設けられている。この車体強度部材は、クロスカービームやステアリングサポートメンバなどと呼ばれている。
【００２４】
そして、この車体強度部材にほぼ沿って、ハーネスモジュールが配設される。このハーネスモジュールは、車体の各部に設置された各種電子部品などに対して、必要な電線類を配索するために設けられた電線類の集合体（いわゆるメインハーネス）をモジュール化したものである。
【００２５】
図１、図２の場合（主に図２参照）、ハーネスモジュール２０は、少なくとも電線類の機能を回路化した電子基板（基板２１）と、この基板２１を保護する基板ケース２２（この場合には、下ケースとなっている）とを備えたものとされている。この基板２１は、基板ケース２２などに収容・固定された状態で、車体強度部材２３の上部などに沿って配設される。そして、ハーネスモジュール２０は、基板ケース２２を車体強度部材２３にネジ２４で固定することなどによって取付けられる。基板２１と基板ケース２２とは、車体強度部材２３にほぼ沿って延びる長尺物とされている。車体強度部材２３の上部には、基板ケース２２を取付けるための平坦部２６が形成されている。更に、車体強度部材２３には、基板ケース２２を取付けるための取付用ブラケット２７が取付けられている。平坦部２６および取付用ブラケット２７には、それぞれ取付用のネジ孔２６ａ，２７ａが形成されている。
【００２６】
この基板ケース２２は、樹脂製とされ、例えば、底壁部３１と側壁部３２とを有する断面ほぼＵ字型のものとされている。この基板ケース２２の内部（内側）には、基板２１を収容可能な収容空間３３が形成される。この場合、基板ケース２２は、上面が開口されており、基板２１は、上方から基板ケース２２内部の収容空間３３へと収容させ得るように構成されている。この基板ケース２２には、基板２１を固定可能な固定部３４が設けられている。この場合、固定部３４は、長手方向３０（車幅方向）へ延びる側壁部３２に対し、長手方向３０へ所要の間隔を有して複数設けられている。
【００２７】
また、基板ケース２２には、基板２１を上方から覆う蓋体３５（上ケース）が取付けられる。この蓋体３５は、基板ケース２２の上面の開口に嵌着される。なお、上記側壁部３２は、インストルメントパネルの内部のスペース上の問題などから、可能な限り低くなるように構成される。例えば、基板２１の厚みと、蓋体３５の厚みとの和に、若干の余裕代を加えた程度の高さなどとされる。
【００２８】
図３〜図６（主に図６参照）は、上記した固定部３４の例を示すものであり、この固定部３４として、基板ケース２２の内部に、基板２１の片面（底壁部３１と対向する面、この場合には、図中下面となっている。以下同様）を受ける受面部３６が設けられる。この場合、受面部３６は、底壁部３１と側壁部３２とのコーナー部分に一体的に突出形成されたブロック状突起部の上端面とされている。この受面部３６は、基板２１の片面の縁部を受けることにより、基板２１の片面を底壁部３１から所要の間隔を有して離間配置させるものとされている。なお、基板ケース２２は、全体ではなく、固定部３４の周辺を部分的に図示している。
【００２９】
また、固定部３４として、基板ケース２２の側壁部３２に、受面部３６との間で基板２１を挟持可能な係止爪部３７が設けられる。この場合、受面部３６と係止爪部３７とは、横方向（長手方向３０）へ位置を若干ズラせて設けられている。即ち、係止爪部３７に対し、その長手方向３０の両側部分に、受面部３６が一対設けられるようにしている。
【００３０】
以上が、背景となる基本構成である。
【００３１】
そして、先ず、この実施例の係止爪部３７について説明する。この係止爪部３７は、壁部（この場合は、側壁部３２がこれに相当する。以下同様）に形成されたスリット部４２と、このスリット部４２の両端部から壁部の縁部（この場合には、図中の上縁部となる。以下同様）へ向けて延設形成された樹脂ヒンジ部４３と、樹脂ヒンジ部４３およびスリット部４２によって囲まれた部分に設けられて、両側部の樹脂ヒンジ部４３を中心とする回動により、屈曲可能な爪部４１とを有している。樹脂ヒンジ部４３は、壁部の縁部に達するように形成する。
【００３２】
別の言い方をすると、壁部にほぼＵ字状の切欠部分を形成し、この切欠部分に、爪部４１を配設して、爪部４１の縁部（ほぼＵ字状の切欠部分の底部と対応する下縁部）に壁部と離間されるスリット部４２を有すると共に、爪部４１の両側部が樹脂ヒンジ部４３によって壁部に接続されるようにする。
【００３３】
そして、この爪部４１が、スリット部４２の側に係止面４７を有すると共に、スリット部４２とは反対の側に、両側部の樹脂ヒンジ部４３を中心とする爪部４１の弾性変形を補助可能な斜面部４８とを有している。なお、係止面４７および斜面部４８は、爪部４１の正面側に設けられる。
【００３４】
次に、記載内容が一部重複するが、上記係止爪部３７を具体的に基板ケース２２（特に、ハーネスモジュール２０の基板ケース２２）に適用する場合について説明する。この場合、側壁部３２に設けられた係止爪部３７が、スリット部４２と、スリット部４２の両端部から側壁部３２の縁部（底壁部３１とは反対側の縁部。上記したように上縁部となる）へ向けて延設形成された樹脂ヒンジ部４３と、樹脂ヒンジ部４３およびスリット部４２によって囲まれた部分に設けられて、両側部の樹脂ヒンジ部４３を中心とする回動により、屈曲可能な爪部４１とを有するものとなる。
【００３５】
上記と同様に別の言い方をすると、基板ケース２２の側壁部３２にほぼＵ字状の切欠部分を形成し、この切欠部分に、爪部４１を配設して、爪部４１の底壁部側縁部（底壁部３１側の縁部。以下同様）に側壁部３２と離間されるスリット部４２を有すると共に、爪部４１の両側部が樹脂ヒンジ部４３によって側壁部３２に接続されるようにする。
【００３６】
この場合、スリット部４２は、基板ケース２２に収容された基板２１とほぼ平行な方向へ延びるものとされている。樹脂ヒンジ部４３は、基板ケース２２に収容された基板２１とほぼ垂直な方向に延設されている。一対の樹脂ヒンジ部４３は、ほぼ平行とされている。樹脂ヒンジ部４３は、側壁部３２の内外両面をくびって薄肉化することにより、内外方向へ向けて屈曲可能に構成されている。そして、側壁部３２の縁部（上縁部）と、爪部４１の縁部（上縁部）とは、高さが同じとなる。
【００３７】
そして、爪部４１が、基板２１の他面を係止可能な係止面４７と、基板２１を係止面４７へ向けて案内する（ガイドテーパとなる）と共に、両側部の樹脂ヒンジ部４３を中心とする爪部４１の弾性変形（屈曲変形）を補助可能な斜面部４８とを有している。
【００３８】
ここで、爪部４１は、側壁部３２の内面に対し、内方へ張出すように形成されている。即ち、係止面４７および斜面部４８は、基板ケース２２の内面側に設けられる。爪部４１による基板２１の係止方向は、側壁部３２の高さ方向（この場合には、図中上下方向に）の、反底壁部３１側（図中上側）とされる。係止面４７は、受面部３６に対して、ほぼ基板２１の厚み分だけ図中上方の位置に設定される。斜面部４８は、図中下方へ進むに従い側壁部３２の内面側へ向かうように斜めにカットされる。これにより、爪部４１は、上縁部側が薄肉化される。
【００３９】
また、斜面部４８の幅方向中央部（最も変形が大きくなる幅方向の部分）に爪部４１の弾性変形を補助可能な切込部５１を設けるようにしても良い。この切込部５１は、爪部４１の上縁部に形成される。この切込部５１は、小さなもので良い。切込部５１は、あまり大きくなると、却って斜面部４８の機能を阻害するので、好ましくない。
【００４０】
更に、爪部４１の背面側（側壁部３２の外面側）に、爪部４１の弾性変形を補助可能な座繰部５５を形成しても良い。この場合、座繰部５５は、爪部４１の幅方向中央部ほど薄肉となるように、背面側を曲面状にえぐる、緩やかな曲率のものなどとされる。
【００４１】
次に、この実施例の作用について説明する。
【００４２】
図３の状態から、基板ケース２２の内部に図中上方から基板２１を押込むと、基板２１に押された爪部４１は、図４、図５に順に示すように、それ自体が弾性変形して基板ケース２２の外方へ退避される。基板２１が爪部４１を通過して基板２１による押し力が解除されると、爪部４１が、図６に示すように、弾性復帰して元の位置に戻される。その結果、受面部３６が基板２１の片面（図中上面）を受け、爪部４１が基板２１の他面（図中下面）を係止して、受面部３６と爪部４１との間で基板２１を挟持した状態となる。これにより、基板ケース２２に基板２１が収容・固定される。
【００４３】
この際、爪部４１は、両側部の樹脂ヒンジ部４３を中心としてほぼく字状に屈曲変形されることとなる。爪部４１を屈曲変形させる強さは、爪部４１の肉厚や、爪部４１の幅寸法や、切込部５１の大きさや、座繰部５５の大きさなどによって自在に設定・調整することができる。
【００４４】
この実施例によれば、係止爪部３７が、壁部（側壁部３２）に形成されたスリット部４２と、このスリット部４２の両端部から壁部の縁部（この場合には、図中上縁部）へ向けて延設形成された樹脂ヒンジ部４３と、樹脂ヒンジ部４３およびスリット部４２によって囲まれた部分に設けられて、両側部の樹脂ヒンジ部４３を中心とする回動により屈曲可能な爪部４１とを有し、爪部４１が、スリット部４２の側に係止面４７を有すると共に、スリット部４２とは反対の側に両側部の樹脂ヒンジ部４３を中心とする爪部４１の弾性変形を補助可能な斜面部４８とを有することにより、以下のような作用効果を得ることができる。
【００４５】
即ち、壁部（側壁部３２）に形成されたスリット部４２と、スリット部４２の両端部から壁部の縁部（この場合には、上縁部）へ向けて延設形成された樹脂ヒンジ部４３とにより、爪部４１自体が弾性変形されるようになるため、弾性爪支持片９（図７参照）が不要となり、壁部が低くても爪部４１を設けることが可能となる。また、斜面部４８が、両側部の樹脂ヒンジ部４３を中心とする爪部４１の弾性変形を補助することにより、軽い力で爪部を弾性変形させることが可能となる。
【００４６】
また、斜面部４８の幅方向中央部に、爪部４１の弾性変形を補助可能な切込部５１を設けることにより、切込部５１が爪部４１を弾性変形し易くするので、より軽い力で爪部４１を変形させることが可能となる。
【００４７】
更に、爪部４１の背面側に、爪部４１の弾性変形を補助可能な座繰部５５を形成することにより、座繰部５５が爪部４１を弾性変形し易くするので、より一層軽い力で爪部４１を変形させることが可能となる。
【００４８】
特に、底壁部３１と側壁部３２とを有して内部に基板２１を収容可能な基板ケース２２に、基板２１を固定可能な固定部３４が設けられ、固定部３４が、基板ケース２２の内部に設けられて、基板２１の片面を受ける受面部３６と、側壁部３２に設けられて、受面部３６との間で基板２１を挟持可能な係止爪部３７とを備えた基板固定部構造において、側壁部３２に設けられた係止爪部３７が、スリット部４２と、スリット部４２の両端部から側壁部３２の縁部へ向けて延設形成された樹脂ヒンジ部４３と、樹脂ヒンジ部４３およびスリット部４２によって囲まれた部分に設けられて、両側部の樹脂ヒンジ部４３を中心とする回動により屈曲可能な爪部４１とを有し、爪部４１が、基板２１の他面を係止可能な係止面４７と、基板２１を係止面４７へ向けて案内すると共に、両側部の樹脂ヒンジ部４３を中心とする爪部４１の弾性変形を補助可能な斜面部４８とを有することにより、以下のような作用効果を得ることができる。
【００４９】
即ち、スリット部４２と、スリット部４２の両端部から側壁部３２の縁部へ向けて延設形成された樹脂ヒンジ部４３とにより、爪部４１自体が弾性変形されるようになるため、弾性爪支持片９（図７参照）が不要となり、基板ケース２２の側壁部３２が低くても係止爪部３７を採用することが可能となる。また、斜面部４８が、両側部の樹脂ヒンジ部４３を中心とする爪部４１の弾性変形を補助することにより、軽い力で爪部４１を弾性変形させることが可能となる。
【００５０】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。例えば、各実施例に複数の構成が含まれている場合には、これらの構成の可能な組合せが含まれることは勿論である。また、複数の実施例や変形例が示されている場合には、これらに跨がった構成の組合せのうちの可能なものが含まれることは勿論である。
【図面の簡単な説明】
【００５１】
【図１】本発明の実施例にかかる、基板を収容した基板ケースを取付けた車体強度部材の全体的な平面図である。
【図２】係止爪部構造を示す図１の部分的な分解斜視図である。
【図３】図２の部分拡大斜視図である。
【図４】図３と同様の作動図である。
【図５】図４に続く作動図である。
【図６】図５に続く作動図である。
【図７】従来例にかかる係止爪部構造の部分拡大斜視図である。
【符号の説明】
【００５２】
２１  基板
２２  基板ケース
３１  底壁部
３２  側壁部
３４  固定部
３６  受面部
３７  係止爪部
４１  爪部
４２  スリット部
４３  樹脂ヒンジ部
４７  係止面
４８  斜面部
５１  切込部
５５  座繰部
【図１】
2008192796.tif 000003
【図２】
2008192796.tif 000004
【図３】
2008192796.tif 000005
【図４】
2008192796.tif 000006
【図５】
2008192796.tif 000007
【図６】
2008192796.tif 000008
【図７】
2008192796.tif 000009